(57)【要約】【課題】内壁部と外壁部との間に形成された壁内空間部に湿気が滞留するのを防ぎ、しかも、施工をする際にも作業性を向上させることができる通気構造を提供する。【解決手段】本発明の通気構造は、横架材１と、横架材１の室内側側面に設けられた内壁部２と、横架材１の室外側側面に設けられた外壁部３と、内壁部２と外壁部３との間に形成された壁内空間部４と、横架材１の室外側側面と外壁部３との間に配置され湿気を透過可能な通湿部材６と、外気に連通する外部通気口７１とを備えている。そして、壁内空間部４内の湿気が、通湿部材６を介して壁内空間部４外に移動し、外部通気口７１から放出されるように構成されている。【選択図】図１
2014020041.tif 000002
【特許請求の範囲】
【請求項１】
横架材と、
前記横架材の室内側側面に設けられて湿気が通過可能な内壁部と、
前記横架材の室外側側面に設けられた外壁部と、
前記内壁部と前記外壁部との間に形成された壁内空間部と、
前記横架材の室外側側面と前記外壁部との間に配置され湿気を透過可能な通湿部材と、
前記壁内空間部外に設けられて外気に連通する外部通気口と
を備え、
前記壁内空間部内の湿気が、前記通湿部材を介して前記壁内空間部外に移動し、前記外部通気口から放出されるよう構成されている
ことを特徴とする通気構造。
【請求項２】
前記通湿部材には、前記横架材に固着具を介して固定される固定片が設けられている
ことを特徴とする請求項１記載の通気構造。
【発明の詳細な説明】
【技術分野】
【０００１】
本発明は、建物の壁内部の通気構造に関する。
【背景技術】
【０００２】
特許文献１には、従来の通気構造が開示されている。この特許文献１記載の通気構造は、梁と、外壁と、内壁とを備えている。外壁は、構造用合板により構成されている。構造用合板は、梁の外側の側面に固定されている。内壁は、梁の内側の側面に固定されている。通常、この種の内壁は、湿気が通過するような構造となっている。
【０００３】
構造用合板には切り溝が設けられている。切り溝は、構造用合板の梁に接する部分に設けられている。切り溝は、梁の下方から上方に亙って設けられている。したがって、特許文献１記載の通気構造は、内壁と外壁と梁とで囲まれた空間と、梁の上方の空間（軒裏）とが切り溝を介して連通している。
【０００４】
この通気構造は、内壁が湿気を通過させるものである。このため、湿気は、内壁と外壁と梁とに囲まれた空間に取り込まれる場合がある。しかし、この通気構造は、内壁と外壁と梁とに囲まれた空間に取り込まれた湿気を、切り溝を介して軒裏に排出することができる。これにより、特許文献１記載の通気構造によれば、壁内に湿気が溜まるのを防ぐことができる。
【先行技術文献】
【特許文献】
【０００５】
【特許文献１】特開平９−３２８８２５号公報
【発明の概要】
【発明が解決しようとする課題】
【０００６】
ところでこの従来の通気構造の切り溝は、構造用合板の梁に接する部分に設けられている必要がある。つまり、切り溝が設けられる位置は、梁の高さに応じて変化する。このため、施工者は、切り溝を現場施工で設ける必要がある。
【０００７】
また、施工者が内壁に防湿気密シートを貼着することで、壁内に湿気を取り込まないような構造とすることも考えられる。しかしながら、内壁全面に亙って防湿気密シートを貼るには、熟練した施工者が作業をする必要がある。つまり、施工者が内壁の使用に併せて防湿気密シートを貼着するという施工は、施工者の熟練度に応じて仕上がりが左右されやすいため、仕上がりにムラが生じやすいという問題がある。
【０００８】
本発明は、上記事情に鑑みてなされたものであり、その目的とするところは、内壁部と外壁部との間に形成された壁内空間部に湿気が滞留するのを防ぎ、しかも、施工をする際にも作業性を向上させることができる通気構造を提供することにある。
【課題を解決するための手段】
【０００９】
本発明の通気構造は、横架材と、前記横架材の室内側側面に設けられて湿気が通過可能な内壁部と、前記横架材の室外側側面に設けられた外壁部と、前記内壁部と前記外壁部との間に形成された壁内空間部と、前記横架材の室外側側面と前記外壁部との間に配置され湿気を透過可能な通湿部材と、前記壁内空間部外に設けられて外気に連通する外部通気口とを備え、前記壁内空間部内の湿気が、前記通湿部材を介して前記壁内空間部外に移動し、前記外部通気口から放出されるよう構成されていることを特徴とする。
【００１０】
またこの通気構造において、前記通湿部材には、前記横架材に固着具を介して固定される固定片が設けられていることが好ましい。
【発明の効果】
【００１１】
本発明の通気構造によれば、内壁部と外壁部との間に形成された壁内空間部に湿気が取り込まれても、その湿気を外部通気口から放出させることができるため、湿気が室内空間部に滞留するのを防ぐことができる。しかも、本発明の通気構造によれば、施工者は横架材と外壁部との間に通湿部材を配置すればよいため、簡単に施工することができて仕上がりにムラが生じにくく、施工性を向上させることができる。
【図面の簡単な説明】
【００１２】
【図１】実施形態１の通気構造を示す側断面図である。
【図２】実施形態１の通気構造を示す断面斜視図であり（ａ）は第一横架材近傍を示し、（ｂ）は第二横架材近傍を示す。
【図３】実施形態１の通湿部材の斜視図である。
【図４】実施形態２の通気構造を説明するための図であり（ａ）は第二横架材近傍を示す断面斜視図であり、（ｂ）は通湿部材を示す斜視図である。
【図５】実施形態３の通気構造を説明するための図であり（ａ）は第二横架材近傍を示す断面斜視図であり（ｂ）は通湿部材を示す分解斜視図であり、（ｃ）は他例の通湿部材を示し斜視図である。
【図６】実施形態１〜３の通湿部材の他例を示す図であり（ａ）は第二横架材近傍を示す断面斜視図であり、（ｂ）は通湿部材を示す斜視図である。
【発明を実施するための形態】
【００１３】
以下、本発明の実施形態について添付図面に基づいて説明する。
【００１４】
実施形態１の通気構造は、建物の内壁部２と外壁部３との間に湿気が滞留しないよう、湿気を外部に逃がすようにした構造である。この通気構造は、図１に示されるように、横架材１と、内壁部２と、外壁部３と、壁内空間部４と、通湿部材６と、換気部７とを備えている。なお、図１中の８２は天井板を示し、８３は棟木を示し、８１は野地板を示す。
【００１５】
なお、建物は、例えば、軸組により主体が構成される木造軸組構法により構成されたものであってもよいし、木造枠組壁構法（いわゆるツーバイフォー工法）により構成されたものであってもよい。本実施形態の建物は、木造軸組構法により構成されている。
【００１６】
横架材１は、水平方向に長さを有する構造材である。横架材１は、例えば、梁、桁などである。横架材１は、図２に示されるように、Ｈ型鋼１１と、下木質材１３と、上木質材１２とを備えている。Ｈ型鋼１１は、上面部１１１と、下面部１１２と、鉛直部１１３とにより構成されている。鉛直部１１３は、上面部１１１の断面中央部と、下面部１１２の断面中央部とを相互に連結する。
【００１７】
上木質材１２は、上面部１１１の上面に固定されている。下木質材１３は、下面部１１２の下面に固定されている。上木質材１２および下木質材１３のＨ型鋼１１への固定は、例えば、ボルトやねじ等の固着具５を介して固定される。固着具５は、Ｈ型鋼１１の挿通孔１１４（図４参照）に挿通され、上木質材１２または下木質材１３のいずれかにねじ込まれる。挿通孔１１４は、上面部１１１と下面部１１２とにそれぞれ穿設されている。
【００１８】
これにより、横架材１は、Ｈ型鋼１１と同程度の剛性を有し、且つ、木材のように釘などが打ち込めるようになっている。
【００１９】
なお、本発明の横架材１は、本実施形態の構造に限定されない。本発明の横架材１は、木材により構成されてもよいし、鋼材により構成されてもよい。また横架材１は、断面矩形状であってもよい。
【００２０】
横架材１は、図１に示すように、最上階（例えば、３階）の上部と、下階（例えば、１階又は２階）の上部とにそれぞれ設けられている。最上階の横架材１は、第一横架材１４として定義される。また、下階の横架材１は、第二横架材１５として定義される。例えば、第一横架材１４は、妻梁や小屋梁などを構成する。第二横架材１５は、例えば、胴差を構成する。
【００２１】
第一横架材１４と第二横架材１５との間には、柱（図示せず）が複数箇所に架設されている。また、第二横架材１５と基礎との間にも、柱が複数箇所に架設されている。柱は、水平方向に並ぶよう所定のピッチで配置されている。なお、３階建ての建物の場合には、１階の第二横架材１５と、２階の第二横架材１５との間にも柱が架設される。柱には、管柱と間柱とが含まれる。
【００２２】
内壁部２は、横架材１の下木質材１３の室内側の側面に固定されている。言い換えると、内壁部２は、横架材１の室内側側面に設けられている。内壁部２は、内装パネル２１と、断熱材２２とを備えている。
【００２３】
内装パネル２１は、例えば、石膏ボードにより構成される。内装パネル２１は、湿気を透過する。内装パネル２１は、横架材１の下木質材１３の室内側の側面と、柱の室内側の側面とに当接した状態で、固着具５により固定される。
【００２４】
断熱材２２は、内装パネル２１の室外側側面に沿って配置される。断熱材２２は、並設された柱の間に充填される。断熱材２２としては、例えば、ロックウールが挙げられる。断熱材２２は湿気を透過する。また、上述のように、内装パネル２１は湿気を透過する。つまり、内壁部２は、湿気が通過する可能性がある。
【００２５】
外壁部３の上端は、第一横架材１４の下木質材１３に固定されている。外壁部３の上下方向の中間部分は、第二横架材１５の下木質材１３と上木質材１２とに固定されている。言い換えると、外壁部３は、横架材１の室外側側面に設けられている。外壁部３は、室内側に位置する内側面材３１と、内側面材３１よりも室外側に位置する外装パネル３２とを備えている。
【００２６】
内側面材３１は、横架材１の室外側側面に沿って配置されている。内側面材３１の上端は、第一横架材１４の下木質材１３に、通湿部材６を介して固定されている。また、内側面材３１の上下方向の中間部分は、第二横架材１５の上木質材１２および下木質材１３に、通湿部材６を介して固定されている。内側面材３１の上下方向の長さは、基礎から第一横架材１４までの全長に亙って設けられている。内側面材３１は、例えば、構造用合板により構成される。
【００２７】
内側面材３１と断熱材２２と横架材１とに囲まれた部分には、壁内空間部４が形成されている。言い換えると、壁内空間部４は、内壁部２と外壁部３との間に形成されている。
【００２８】
外装パネル３２は、内側面材３１の室外側に、通気路３３を介して配置されている。外装パネル３２は、建物の外壁面を構成する。外装パネル３２としては、例えば、窯業系のサイディング材や、金属サイディング材などが挙げられる。
【００２９】
通湿部材６は、図２に示されるように、横架材１の室外側側面と外壁部３との間に配置される。通湿部材６は、湿気を上下方向に透過可能となっている。通湿部材６は、横架材１の長手方向の略全長に亙って設けられている。通湿部材６は、上下方向に幅を有し、横架材１の長手方向と同方向（水平方向）に長さを有し、且つ建物の内外方向に厚みを有している。これにより通湿部材６は、帯板状に形成されている。通湿部材６は、横架材１と外壁部３との間に配置される透湿部６１と、この透湿部６１を横架材１に固定するための固定片６２とを有している。
【００３０】
透湿部６１は、湿気を上下方向に通す。透湿部６１は、例えば、プラスチック段ボールにより構成される。プラスチック段ボールは、厚み内において、幅方向に貫通する多数の通湿路を有している。
【００３１】
固定片６２は、透湿部６１の幅方向の一端から室内側に向かって延出している。固定片６２は、横架材１に通湿部材６を固定するために設けられている。固定片６２は、透湿部６１の長手方向の略全長に亙って設けられている。固定片６２の透湿部６１からの突出長さは、横架材１の室外側の側面から鉛直部１１３の室外側の側面までの長さと略同じ長さに形成されている。固定片６２は、例えば、合成樹脂により構成されており、透湿部６１に一体成形されている。
【００３２】
なお、固定片６２は、透湿部６１の長手方向の全長に亙って設けられたものでなくてもよい。固定片６２は、例えば、透湿部６１の長手方向に部分的に設けられたものであってもよい。
【００３３】
第一横架材１４に取り付けられる通湿部材６は、図２（ａ）に示されるように、下木質材１３の室外側側面と外壁部３との間に配置される。また、第二横架材１５に取り付けられる通湿部材６は、図２（ｂ）に示されるように、下木質材１３の室外側側面と外壁部３との間、及び上木質材１２の室外側側面と外壁部３との間に配置される。
【００３４】
下木質材１３に取り付けられる通湿部材６は、透湿部６１が下木質材１３の室外側側面に当接し、且つ固定片６２がＨ型鋼１１の下面部１１２の上面に当接した状態で、固着具５が打入されることで固定される。上木質材１２に取り付けられる通湿部材６は、透湿部６１が上木質材１２の室外側側面に当接し、且つ固定片６２がＨ型鋼１１の上面部１１１の下面に当接した状態で、固着具５が打入されることで固定される。なお、固着具５は、下面部１１２または上面部１１１にそれぞれ穿設された挿通孔１１４に挿通され、上木質材１２または下木質材１３にねじ込まれ、これにより、固定片６２を横架材１に固定する。
【００３５】
外壁部３は、通湿部材６の室外側から取り付けられる。外壁部３の内側面材３１は、通湿部材６が上木質材１２または下木質材１３に固定された状態で、通湿部材６の室外側側面に当接するようにして配置される。この状態で、内側面材３１の室外側から、固着具５が打入される。すると固着具５は、内側面材３１・通湿部材６・上木質材１２または下木質材１３の順に挿通される。これにより、内側面材３１は、横架材１との間に通湿部材６を挟んだ状態で、横架材１に固定される。
【００３６】
換気部７は、建物の天井裏の換気を行なう。換気部７は、例えば、棟部８０に設けられている。棟部８０は、建物の屋根の頂部に位置する。換気部７は、外部通気口７１と、換気カバー７２とを備えている。
【００３７】
外部通気口７１は、建物外部（外気）と屋根裏とを連通する。外部通気口７１は、野地板８１の棟側の端部に、内外を貫通するよう設けられている。言い換えると、外部通気口７１は、壁内空間部４外に設けられている。外部通気口７１は、第一横架材１４に取り付けられた通湿部材６よりも上方に配置されている。
【００３８】
換気カバー７２は、外部通気口７１を上方から覆うようにして設置されている。換気カバー７２は、側方に開口している。換気カバー７２の開口は、外部通気口７１に通じている。換気カバー７２は、雨水が外部通気口７１を介して建物内に浸水するのを防止する。
【００３９】
軒天８４には、吸気口８５が設けられている。吸気口８５は、屋根裏に向かって外気を取り込む。屋根裏に取り込まれた空気は、野地板８１に沿って上昇し、換気部７を介して外部に放出される。
【００４０】
次に、室内の湿気が、内壁部２を通過した場合について説明する。
【００４１】
室内の湿気が内壁部２を通過すると、その湿気は、壁内空間部４に取り込まれる。湿気は、壁内空間部４内で上昇し、通湿部材６を透過して壁内空間部４の外側に向かって移動する。湿気は、屋根裏にまで上昇し、吸気口８５から換気部７に向かう気流と共に野地板８１に沿って棟部８０にまで移動する。その後、湿気は、外部通気口７１を介して外部に放出される。
【００４２】
以上説明したように本実施形態の通気構造は、横架材１と、内壁部２と、外壁部３と、壁内空間部４と、通湿部材６と、外部通気口７１とを備えている。内壁部２は、横架材１の室内側側面に設けられている。内壁部２は、湿気が通過可能となっている。外壁部３は、横架材１の室外側側面に設けられている。壁内空間部４は、内壁部２と外壁部３との間に形成されている。通湿部材６は、横架材１の室外側側面と外壁部３との間に配置されている。通湿部材６は、湿気を透過可能に構成されている。外部通気口７１は、壁内空間部４外に設けられている。外部通気口７１は外気と建物内部とを連通する。そして、壁内空間部４内の湿気は、通湿部材６を介して壁内空間部４外に移動し、外部通気口７１から放出される。
【００４３】
本実施形態の通気構造によれば、内壁部２に湿気が透過したとしても、その湿気を、外部通気口７１を介して外気に向かって放出することができるため、壁内空間部４内に湿気を滞留させないようにできる。これにより、本実施形態の通気構造によれば、壁内空間部４に結露を生じさせにくくすることができる。この結果、横架材１や外壁部３や内壁部２にカビや腐食が生じるのを防止でき、これら建築材の耐久性を向上させることができる。
【００４４】
しかも、本実施形態の通気構造によれば、施工者は、外壁部３を横架材１に固定する際に、外壁部３と横架材１との間に通湿部材６を配置すればよく、内壁部２の全面に亙って防湿気密シートを貼着する必要がない。したがって本実施形態の通気構造は、施工者の技量に左右されにくい構造であり、仕上がりにムラが生じにくい。この結果、施工者は、簡単に作業することができて施工性を向上させることができるうえに、施工ミスを減らすことができる。さらに、本実施形態の通気構造によれば、内壁部２として、湿気の透過を防ぐ材質を選択する必要がないため、設計上の自由度を向上させることができる。
【００４５】
また、本実施形態の通湿部材６には、横架材１に固着具５を介して固定される固定片６２が設けられている。
【００４６】
このため、本実施形態の通気構造によれば、外壁部３を設置する際に通湿部材６がずれてしまうのを極力防ぐことができ、これにより、施工性をさらに向上させることができる。
【００４７】
また本実施形態の通湿部材６は、横架材１の長手方向の略全長に亙って連続して設けられているため、作業者が外壁部３に固着具を打入するに当たり、どの位置においても固着具を打入することができる。つまり、部分的に設けられるスペーサーに比べて作業者が作業しやすく、したがって、作業性の低下を防ぐことができる。
【００４８】
ところで、通湿部材６と横架材１とが接着により固定されると、接着剤が硬化した後、施工者が外壁部３に固着具を打入する際に、固着具を貫通させにくくなることが考えられる。この点について、本実施形態の通湿部材６は、横架材１の室外側側面への取り付けに、接着剤が用いられていないため、外壁部３を固着具により固定する際に、固着具を通しやすい。これにより、作業性の低下を防ぐことができる。
【００４９】
次に、実施形態２について図４に基づいて説明する。なお、本実施形態は実施形態１と大部分において同じであるため、同じ部分においては同符号を付して説明を省略し、主に異なる部分について説明する。
【００５０】
実施形態２の通気構造は、通湿部材６の形状が、実施形態１の構造とは異なっており、その他の構造は実施形態１の通気構造と同じである。
【００５１】
本実施形態の通湿部材６は、透湿部６１と、固定片６２とを備えている。透湿部６１は、横架材１の室外側側面と外壁部３との間に配置される。なお、透湿部６１は実施形態１と同じである。
【００５２】
固定片６２は、透湿部６１の幅方向の一端部から室内側に向かって延出している。固定片６２の透湿部６１からの突出長さは、下木質材１３または上木質材１２の幅方向の長さと略同じ長さに形成されている。固定片６２は、横架材１のＨ型鋼１１の下面部１１２と下木質材１３との間か、あるいはＨ型鋼１１の上面部１１１と上木質材１２との間に配置される。固定片６２は、Ｈ型鋼１１の下面部１１２と下木質材１３との間に挟まれた状態で、下面部１１２の上方から固着具５が打入され、これにより横架材１に固定される。また、固定片６２は、Ｈ型鋼１１の上面部１１１と上木質材１２との間に挟まれた状態で、上面部１１１の下方から固着具５が打入され、これにより横架材１に固定される。なお、この固着具５は、Ｈ型鋼１１に穿設された挿通孔１１４に挿通される。
【００５３】
次に、実施形態３について図５に基づいて説明する。なお、本実施形態は実施形態１と大部分において同じであるため、同じ部分においては同符号を付して説明を省略し、主に異なる部分について説明する。
【００５４】
実施形態３の通気構造は、通湿部材６の形状が実施形態１の構造とは異なっており、その他の構造は実施形態１の通気構造と同じである。
【００５５】
本実施形態の通湿部材６は、透湿部６１と、固定片６２とを備えている。透湿部６１は、横架材１の室外側側面と外壁部３との間に配置される。なお、透湿部６１は実施形態１のものと同じである。
【００５６】
固定片６２は、横片部６２１と縦片部６２２とを備えている。横片部６２１は、透湿部６１の幅方向の一端部から室内側に向かって延出している。縦片部６２２は、横片部６２１の室内側の先端から上方に向かって延出している。横片部６２１は、上面部１１１または下面部１１２のいずれかに沿うようにして配置される。縦片部６２２は、鉛直部１１３に沿うようにして配置される。横片部６２１と縦片部６２２とは、一体成形されており、断面略Ｌ字状に形成されている。
【００５７】
下木質材１３に取り付けられる通湿部材６は、横片部６２１がＨ型鋼１１の下面部１１２の上面に当接し、縦片部６２２が鉛直部１１３の室外側に当接するよう配置される。また、上木質材１２に取り付けられる通湿部材６は、横片部６２１がＨ型鋼１１の上面部１１１の下面に当接し、縦片部６２２が鉛直部１１３の室外側に当接するよう配置される。
【００５８】
施工者は、上方側の通湿部材６の縦片部６２２と、下方側の通湿部材６の縦片部６２２とを、内外方向に重ねるように配置する。そして、この状態で、横架材１と他の横架材１とを連結する金具（かね金具５１）を、室外側側面に当接する。施工者は、かね金具５１を、固着具５を介して鉛直部１１３に固定する。これにより、固定片６２は、かね金具５１とＨ型鋼１１の鉛直部１１３との間で挟持され、Ｈ型鋼１１に固定される。
【００５９】
かね金具５１を固定する固着具５は、かね金具５１を取り付けるために予め鉛直部１１３に設けられた挿通孔（図示せず）を利用して螺合される。
【００６０】
なお、通湿部材６は、図５（ｃ）に示すように、上側の通湿部材６と下側の通湿部材６とを、固定片６２を介して一体に連結してもよい。
【００６１】
実施形態１〜３の通湿部材６は、固定片６２が設けられていたが、本発明の通気構造においては、図６に示すように、固定片６２が設けられていなくてもよい。この図６に示す通湿部材６は、固着具５により固定する代わりに、嵌め込み構造により横架材１に固定される。
【符号の説明】
【００６２】
１      横架材
１１    Ｈ型鋼
１２    上木質材
１３    下木質材
１４    第一横架材
１５    第二横架材
２      内壁部
２１    内装パネル
２２    断熱材
３      外壁部
３１    内側面材
３２    外装パネル
４      壁内空間部
５      固着具
５１    かね金具
６      通湿部材
６１    透湿部
６２    固定片
７１    外部通気口
８０    棟部
８１    野地板
【図１】
2014020041.tif 000003
【図２】
2014020041.tif 000004
【図３】
2014020041.tif 000005
【図４】
2014020041.tif 000006
【図５】
2014020041.tif 000007
【図６】
2014020041.tif 000008